(57)【要約】本発明は、無線ネットワーク内のユーザにデータレートを付与する配置構成（２０２）であって、前記無線ネットワーク内のユーザにデータレートを付与するように配置されたスケジューラ（２０７）を備える配置構成（２０２）に関する。この配置構成は、セル内の少なくとも１つの新しいユーザが隣接するセルから発呼しているか否かを判別するように配置されたユニットと、干渉判別ユニット（２０９）とを備える。干渉判別ユニットは、セル内の総合干渉レベルの基準を提供し、最大干渉設定値と総合干渉測定レベルとの関係を判別するように配置される。この判別処理は、発呼元判別ユニットが新しいユーザが隣接するセルから発呼していると判別した場合に、最大干渉設定値と総合干渉測定レベルとの関係を調整することを含む。スケジューラ（２０７）は、最大干渉設定値と総合干渉測定レベルとの間の判別された関係に基づいて、少なくとも１つの新しいユーザにデータレートを付与するように配置される。【選択図】      図２
2010530705.tif 000002
【特許請求の範囲】
【請求項１】
無線ネットワーク（１００）内のユーザにデータレートを付与する配置構成（１０２；２０２）であって、前記無線ネットワークのセル内のユーザにデータレートを付与するように配置されたスケジューラ（２０７）を備える、前記配置構成が、
前記セル内の少なくとも１つの新しいユーザが、隣接するセルから発呼しているか否かを判別するように配置されたユニット（３１２）と、
前記セル内の総合干渉レベルの基準であって、当該総合干渉レベルは前記セル内のユーザからの干渉に関連する第１の干渉部分と前記セル外のユーザからの干渉に関連する第２の干渉部分の合計である、前記セル内の総合干渉レベルの基準を提供するように、かつ最大干渉設定値と総合干渉測定レベルとの関係を判別するように配置された干渉判別ユニット（２０９；３０９）とを備え、前記判別することは、前記発呼元判別ユニット（３１２）が、新しいユーザが隣接するセルから発呼していると判別した場合に、前記最大干渉設定値と前記総合干渉測定レベルとの関係を調整することを含むこと、及び、
前記スケジューラ（２０７）が、前記最大干渉設定値と前記総合干渉測定レベルとの間の前記判別された関係に基づいて、前記少なくとも１つの新しいユーザにデータレートを付与するように配置されること、を特徴とする配置構成。
【請求項２】
少なくとも前記スケジューラが基地局（１０２；２０２）内に配置され、前記セルは前記基地局に関連付けられることを特徴とする、請求項１に記載の配置構成。
【請求項３】
前記発呼元判別ユニット（３１２）が、無線アクセスネットワークノード（１０５）からの前記新しいユーザの移動に関連する情報を受信し、当該情報に基づいて、隣接するセルからのいわゆるソフトハンドオーバを判別するように配置されることを特徴とする、請求項１及び２に記載の配置構成。
【請求項４】
前記発呼元判別ユニット（３１２）が、ソフトハンドオーバを判別するように、前記無線アクセスネットワークノード（１０５）から送信されたマルチ無線リンクセット標識値を評価するように配置されることを特徴とする、請求項３に記載の配置構成。
【請求項５】
前記発呼元判別ユニット（３１２）が、前記新しいユーザが前記基地局に関連付けられた別のセルから発呼する、いわゆるソフターハンドオーバか否かを判別するように配置されることを特徴とする、請求項２に記載の配置構成。
【請求項６】
前記干渉判別ユニット（２０９；３０９）が、第１の時定数を有する第１の干渉部分と、第２の時定数を有する第２の干渉部分であって前記第１の時定数より大きい当該第２の干渉部分を判別するように配置されることを特徴とする、前記請求項のいずれか１項に記載の配置構成。
【請求項７】
前記干渉判別ユニット（２０９；３０９）が、隣接するセルから発呼する各々の新しいユーザに関連付けられた負荷率で前記第２の干渉部分を低減するように配置されることを特徴とする、請求項６に記載の配置構成。
【請求項８】
前記干渉判別ユニット（２０９；３０９）が、前記セルのユーザが隣接するセルへ移動していることを検出すると、前記隣接するセルへ移動している前記ユーザに関連付けられた負荷率で前記第２の干渉部分を増加させるように配置されることを特徴とする、請求項７に記載の配置構成。
【請求項９】
無線ネットワーク内でデータレートを付与する方法であって、
セル内の総合干渉レベルの基準を提供するステップ（７０１）と、
最大干渉設定値と総合干渉測定レベルとの関係に基づいて前記セル内のユーザにデータレートを付与するステップ（７０６）と、
を含み、
前記方法が、少なくとも１つの新しいユーザが隣接するセルから発呼しているか否かを判別するステップ（７０３）を含むこと、及びユーザにデータレートを付与する前記ステップが、前記新しいユーザが隣接するセルから発呼していると判別された場合に、前記最大干渉設定値と前記総合干渉測定レベルとの関係を調整すること（７０４、７０５）を含むこと、を特徴とする方法。
【請求項１０】
少なくとも１つの新しいユーザが、隣接するセルから発呼しているか否かを判別する前記ステップ（７０３）が、隣接するセルからのソフトハンドオーバを判別するように、前記無線ネットワークコントローラから送信されたマルチ無線リンクセット標識値を評価することを含むことを特徴とする、請求項９に記載の無線ネットワーク内でデータレートを付与する方法。
【請求項１１】
セル内の総合干渉レベルの基準を提供する前記ステップが、第１の時定数を有する前記セル内のユーザの干渉レベルを判別するステップ（７０７）と、第２の時定数を有する隣接するセルからのユーザの干渉レベルを判別するステップ（７０８）とを含むことを特徴とする、請求項９に記載の無線ネットワーク内でデータレートを付与する方法。
【請求項１２】
隣接するセルからのユーザからの前記干渉レベルが、隣接するセルから発呼している新しいユーザの各々に関連付けられた負荷率で低減される（７０９）ことと、前記調整された総合干渉レベルが、前記セル内のユーザからの干渉と他のセルからのユーザの低減された干渉レベルとの合計として判別されることとを特徴とする、請求項１１に記載の無線ネットワーク内でデータレートを付与する方法。
【請求項１３】
少なくとも１つの新しいユーザが、隣接するセルから発呼しているか否かを判別する前記ステップが、前記総合干渉レベルの最後の更新以来すべての新しいユーザが他のセルから発呼していると判別するステップを含むことと、ユーザにデータレートを付与する前記ステップが、他のセルから移動してくるか又は他のセルへ移動するユーザを認識することで前記負荷率を調整することによって、前記最大干渉設定値と前記総合干渉測定値との関係を調整するステップを含むこととを特徴とする、請求項９から１２のいずれか１項に記載の無線ネットワーク内でデータレートを付与する方法。
【請求項１４】
前記セル内のユーザが、隣接するセルへ移動したことを検出するステップと、前記ユーザが隣接するセルへ移動していることを検出すると、前記移動したユーザに関連付けられた負荷率で隣接するセルからのユーザの前記干渉レベルを増加させるステップとを特徴とする、請求項１２又は１３に記載の無線ネットワーク内でデータレートを付与する方法。
【発明の詳細な説明】
【技術分野】
【０００１】
技術分野
本発明は、無線ネットワーク用の配置構成（arrangement）に関する。より詳細には、本発明は、上記無線ネットワークのセル内の移動体ユーザにデータレートを付与する方法に関する。
【０００２】
さらに本発明は、無線ネットワーク内のユーザにデータレートを付与する方法に関する。
【背景技術】
【０００３】
背景
第３世代パートナーシッププロジェクト（３ＧＰＰ）において増加した適応型アップリンクビットレートを処理する方法が調査されている。ノードＢ（基地局）又は無線ネットワークコントローラ（ＲＮＣ）のいずれかが、３ＧＰＰに従ってユーザにアップリンクリソース（物理チャネル）をスケジュール設定するか、又は割り当てるように配置されている。基地局又は無線ネットワークコントローラは、３ＧＰＰに従って上記基地局に関連付けられたセル内に存在するユーザにデータレートを付与するように配置されたスケジューラを備える。従来、基地局に関連付けられたセル内に存在するユーザ（移動局）は、固定ビットレートでデータを通信する。しかし、増加した適応型アップリンクビットレートを有するいわゆる拡張アップリンク（ＨＳＵＰＡ、高速アップリンクパケットアクセスとも呼ばれる）によれば、ユーザは、スケジューラによって決定されたデータレートでデータを通信することができる。スケジューラは、各ユーザにデータレートを付与する際に他のユーザからの干渉を考慮するように配置されている。上記スケジューラの１つの課題は、新しいユーザにデータレートを適切に割り当てることができるように、他のユーザからの干渉を判別することである。
【発明の概要】
【０００４】
概要
本発明の１つの目的は、セル内のデータレートの制御された付与を可能にするように、セル内の干渉を判別する方法を提供することである。
【０００５】
これは、一例では、上記無線ネットワークのセル内に存在するユーザにデータレートを付与するように配置されたスケジューラを備える無線ネットワーク内のユーザに、データレートを付与する配置構成によって達成される。この配置構成は、セル内の少なくとも１つの新しいユーザが隣接するセルから発呼しているか否かを判別するように配置されたユニットと、セル内の総合干渉レベルの基準を提供するように配置された干渉判別ユニットとを備えることを特徴とする。総合干渉レベルは、セル内のユーザからの干渉に関連する第１の干渉部分とセル外のユーザからの干渉に関連する第２の干渉部分の合計である。干渉判別ユニットは、最大干渉設定値と総合干渉測定レベルとの関係を判別するようにさらに配置されている。判別処理は、発呼元判別ユニットが新しいユーザが隣接するセルから発呼していると判別した場合に、最大干渉設定値と総合干渉測定レベルとの関係を調整することを含む。スケジューラは、最大干渉設定値と総合干渉測定レベルとの間の判別された関係に基づいて少なくとも１つの新しいユーザにデータレートを付与するように配置されている。
【０００６】
移動局と無線基地局との通信のための１セル内で使用される無線リンクは、隣接するセル内の干渉に影響する。従って、各々のセルは、無線基地局に関連付けられている。一例では、配置構成内の少なくともスケジューラが、無線基地局に組み込まれている。この配置構成は、他のセルからの無線リンクの１セル内の影響を正確に計算する方法を提供する。第１及び第２の干渉部分がその性質上異なる時定数で判別されるとしても、他のセルからの無線リンクからの影響の計算は実行される。第２の時定数は、その性質上、第１の時定数より大きい。
【０００７】
上記配置構成の１つの利点は、ユーザが無線ネットワーク内のセル間を移動する際のユーザのデータレートの継続性が、改善されているという点である。さらに、ネットワーク内の他のユーザへの無線リンクの影響が制御される。
【０００８】
本発明の一実施形態によれば、発呼元判別ユニットは、新しいユーザの移動に関する無線アクセスネットワークノードからの情報を受信し、上記情報に基づいて隣接するセルからのいわゆるソフトハンドオーバを判別するように配置されている。一例では、発呼元判別ユニットは、ソフトハンドオーバを判別するように無線アクセスネットワークノードから送信されたマルチ無線リンクセット標識値（Multiple Radio Link Set indicator）を評価するように配置されている。また、発呼元判別ユニットは、新しいユーザが上記基地局によって管理される別のセルから発呼する、いわゆるソフターハンドオーバを実行しているか否かを判別するように配置することができる。
【０００９】
本発明の一実施形態によれば、干渉判別ユニットは、隣接するセルから発呼する各々の新しいユーザに関連付けられた負荷率で第２の干渉部分を低減するように配置されている。セルのユーザが隣接セルへ移動する逆のケースでは、本発明の一実施形態によれば、第２の干渉部分は、隣接するセルへ移動しているユーザに関連付けられた負荷率で増加するように配置されている。
【００１０】
本発明は、また、無線ネットワーク内でデータレートを付与する方法に関する。この方法は、セル内の総合干渉レベルの基準を提供するステップと、最大許容干渉設定値と総合干渉測定レベルとの関係に基づいてセル内に存在するユーザにデータレートを付与するステップ（７０６）とを含む。この方法は、少なくとも１つの新しいユーザが隣接するセルから発呼するか否かを判別するステップを含むことと、ユーザにデータレートを付与するステップが、新しいユーザが隣接するセルから発呼していると判別されたた場合に、最大干渉設定値と総合干渉測定レベルとの関係を調整することを含むこととを特徴とする。
【図面の簡単な説明】
【００１１】
図面の簡単な説明
【図１】図１は、無線通信システムを概略的に示す。
【図２】図２は、図１の移動体通信システム内の無線基地局の一例のブロック図を示す。
【図３】図３は、図２の無線基地局内の干渉判別ユニットの一例のブロック図を示す。
【図４】図４は、無線通信システム内のソフトハンドオーバを概略的に示す。
【図５】図５は、無線通信システム内のソフターハンドオーバを概略的に示す。
【図６】図６は、図１の無線通信システムのセル内の測定され計算された干渉の概略のグラフを示す。
【図７】図７は、無線通信システム内で帯域幅を付与する手順の一例を示す流れ図である。
【００１２】
詳細な説明
図１は、移動体無線通信システム１００を概略的に示す。このシステム１００内では、移動局１０１が無線リンク１０３上で無線基地局１０２と通信することができる。無線基地局は、アクセスネットワーク１０４に接続されている。本記述では、アクセスネットワーク１０４内で唯一関連する部分は、基地局に対応する無線アクセスネットワークノード又は無線ネットワークコントローラ（ＲＮＣ）１０５である。無線アクセスネットワークノードは、一例では、無線ネットワークコントローラ（ＲＮＣ）である。従って、コアネットワーク１０４の上記無線ネットワークコントローラ１０５だけが図示されている。無線基地局１０２が対応する地理領域は、セル１０６と呼ばれる。
【００１３】
無線リンク１０３は、通常、音声呼とデータ転送セッションに使用される。少なくともデータ転送用の無線リンクは、設定可能なデータレートを有することができる。そのため、無線基地局は、少なくとも移動局から基地局へのアップリンク伝送経路用のデータレートを付与するように配置されている。データレートの付与の手順について以下に詳述する。ここでは、設定可能なデータレートを有する無線アップリンクを拡張無線アップリンクと称する。設定可能なデータレートは、一例では、ビットレートである。ビットレートは、一例では、最大２Ｍビット／秒の範囲内である。別の例では、設定可能なビットレートは、最大５Ｍビット／秒の範囲内である。さらに別の例では、設定可能なビットレートは、最大１０Ｍビット／秒の範囲内である。実際には、無線基地局は、データレートに関連する別の量、例えば電力を付与するように配置することができる。実際の量はアクセス技術によって異なるが、本記述では、帯域幅という用語は、付与された量として用いる。ＷＣＤＭＡの場合、量はデータレートに関連する電力である。
【００１４】
図２を参照すると、無線基地局２０２は、スケジューラ２０７と、レジスタ２０８と、干渉判別ユニット２０９とを備える。スケジューラ２０７は、アップリンク通信のための帯域幅をユーザに付与するように配置されている。レジスタ２０８は、情報のうち、とりわけ、スケジューラ２０７によって管理されるセル１０６内の干渉上限値に関する情報を含む。干渉上限値は、一例では、移動体無線通信システムのオペレータによって事前設定される。スケジューラ２０７は、新しい移動局１０１（ユーザ）が新しい移動局の識別を用いて無線基地局２０２へ発呼したという情報を受信するように配置されている。スケジューラ２０７は、そのような情報を受信すると、利用可能な電力又は帯域幅についての問い合わせを干渉判別ユニット２０９へ送信するように配置されている。干渉判別ユニット２０９は、利用可能な電力又は帯域幅を示す応答を送信するように配置されている。スケジューラ２０７は、次に、干渉判別ユニット２０９が示した利用可能な電力の帯域幅の関係とレジスタ２０８からの干渉上限値情報とに基づいて新しい移動局１０１に電力又はデータレートを付与するように配置されている。
【００１５】
図３を参照すると、干渉判別ユニット３０９は、利用可能な電力／帯域幅に関する問い合わせを受信するように配置されている。この問い合わせは、新しい移動局の識別を含む。干渉判別ユニット３０９は、総合干渉測定ユニット３１０と、他セル干渉判別ユニット３１１と、発呼元判別ユニット３１２とを備える。総合干渉測定ユニット３１０は、無線基地局２０２が受ける干渉を測定するように配置されている。
【００１６】
一例では、総合干渉測定ユニット３１０は、全受信電力対熱雑音（Rise Over Thermal noise（ＲｏＴ））値を測定するように配置されている。全受信電力対熱雑音値は、基地局で無線源から受信した総電力と熱雑音との比率を表す。熱雑音測定は、例えば、無線基地局が使用する周波数帯域をスキャンすることで実行される。熱雑音測定は、低い頻度で、例えば、２秒毎、又は毎分更新される。基地局で無線源から受信する総電力は、例えば、スケジューラを使用するたびに測定される。従って、無線源から受信する総電力の測定は、その性質上、熱雑音の測定よりも頻繁に更新される。しかし、少なくとも無線源から受信した測定済みの総電力は、低域フィルタで濾波される。従って、入手した全受信電力対熱雑音値又はその他の総合干渉レベルの基準を提供する値は、以前の値に依存する。従って、全受信電力対熱雑音値又はその他の総合干渉レベルの基準を提供する値は、所定の時定数に関連する。
【００１７】
入手した測定済み全受信電力対熱雑音値又はその他の総合干渉レベルの基準を提供する値は、次に、無線基地局２０２が受けるセル内の総合干渉の基準として使用される。従って、総合干渉値は、他の隣接するセル及び基地局２０２が管理するセル内のすべての移動局からの干渉を含む。総合干渉測定ユニット３１０は、他のセルからの干渉値を判別するように配置された他セル干渉判別ユニット３１１に接続されている。上記値を判別するために、一例では、他セル干渉判別ユニット３１１は、セル内の活動状態の移動局に付与されるすべてのデータレートに関するスケジューラ２０７から提供される情報を使用するように配置されている。この例では、他セル干渉ユニット３１１は、すべての付与されたデータレートの合計を計算するように配置されている。この合計は、無線基地局がセル１０６内の移動局から受ける干渉の適当な基準である。他セル干渉判別ユニット３１１は、次に他のセルからの干渉の推定値を提供するために総合干渉測定ユニット３１０が判別した総合干渉値とすべての付与されたデータレートの判別された合計との差分を判別するように配置されている。無線基地局がセル１０６内の移動局から受ける干渉の基準は以前の測定値を全く考慮せず、又は少なくともごくわずか考慮して判別される。従って、無線基地局がセル内の移動局から受ける干渉の判別に使用する時定数は、その性質上、総合干渉レベルの時定数よりも短い。従って、無線基地局がセル内の移動局から受ける干渉の判別に使用する時定数は、その性質上、他のセルからの干渉の推定値の時定数よりも短い。他のセルからの干渉のレベルに関するセル間の平衡を保つために、特に、他のセルからの干渉の推定値のより長い時定数が提供される。これは、ここでは詳述しない。無線基地局がセル内の移動局から受ける干渉の時定数よりも他のセルからの干渉の推定値の時定数の方が長いということだけは証明されている。
【００１８】
さらに、新しい移動局１０１の識別が、発呼元判別ユニット３１２へ送信される。発呼元判別ユニット３１２は、新しい移動局１０１が隣接するセルから発呼していて、現在のセル１０６へ移動しているか否か、又は新しい移動局１０１が現在のセル１０６内でのセッションを開始したか否かを判別するように配置されている。新しい移動局１０１が隣接するセルから発呼していると判別された場合、発呼元判別ユニット３１２は、その情報を他セル干渉判別ユニット３１１へ送信するように配置されている。他セル干渉判別ユニット３１１は、その移動局１０１からの他のセルの干渉の推定値への影響を除去するために、次にその情報に従って他のセルからの判別された干渉を調整するように配置されている。通常、基地局１０２は、新しいユーザの使用データレートを認識している。一例では、新しい移動局が使用するデータレートに従って調整がなされる。以下、調整値を負荷率と呼ぶ。干渉判別ユニット３０９は、一例では、他のセルからの干渉及び自セルの干渉の値をスケジューラ２０７へ送信するように配置されている。干渉判別ユニット３０９は、別の例では、他のセルからの干渉及び総合干渉の値をスケジューラ２０７へ送信するように配置されている。
【００１９】
一例では、発呼元判別ユニット３１２は、新しいユーザ１０１の移動に関する無線アクセスネットワークノード１０５からの情報を受信するように配置されている。無線アクセスネットワークノード（ＲＮＣ）からの情報によれば移動局が別の基地局によって管理されている隣接するセルから発呼している場合、発呼元判別ユニット３１２は、他のセルからの干渉推定値から負荷率を除去すべきであるというメッセージを他セル干渉判別ユニット３１１へ返送する。こうした移動局のハンドオーバは、多くの場合、ソフトハンドオーバと呼ばれる。一例では、無線アクセスネットワークノードからの情報は、マルチ無線リンクセット標識値である。図４は、新しい移動局４０１が別の基地局４１４によって管理されている隣接するセル４１３から発呼している一例を示す。
【００２０】
別の例では、発呼元判別ユニット３１２は、新しいユーザ１０１の移動に関する無線アクセスネットワークノード１０５又は基地局１０２自体からの情報を受信するように配置されている。無線アクセスネットワークノード１０５又は基地局１０２からの情報が、移動局が基地局１０２自体によって管理されている隣接するセルから発呼していることを示している場合、発呼元判別ユニット３１２は、他のセルからの干渉推定値からその移動局１０１の負荷率を除去すべきであるというメッセージを他セル干渉判別ユニットへ返送する。同じ基地局によって管理されるセル間のこうした移動局のハンドオーバは、多くの場合、ソフターハンドオーバと呼ばれる。図５は、新しい移動局５０１が同じ基地局１０１によって管理されている隣接するセル５１５から発呼している一例を示す図である。
【００２１】
発呼元判別ユニット３１２は、一例では、ソフトハンドオーバとソフターハンドオーバの両方を判別するように配置されている。
【００２２】
一例では、無線アクセスネットワークノードは、隣接するセルから発呼して現在のセル１０６内に入ってきた移動局の発呼元判別ユニット３１２へ、識別を送信するように配置されている。発呼元判別ユニット３１２は、次にスケジューラ２０９から受信した識別を無線アクセスネットワークノードから受信した識別と比較するように配置されている。発呼元判別ユニット３１２は、この比較が一致を示した場合、他のセルからの干渉推定値からその移動局１０１の負荷率を除去すべきであるというメッセージを他セル干渉判別ユニットへ返送するように配置されている。
【００２３】
図６で、Ｒは、レジスタ２０８内に格納された干渉上限値を表す。ＴＩは、総合干渉測定ユニット３１０によって測定される総合干渉値を示す。測定値は、時間ｔ１、ｔ２及びｔ３で更新される。図中の時間ｔ１とｔ２との間の連続する矢印は、移動局のソフト又はソフターハンドオーバの時間を表す。Ａは、セル内の他のユーザからの判別された干渉のレベルを表す。Ａのレベルは、上記のように、スケジューラ２０７によってセル内の活動状態の移動局に付与されるすべてのデータレートの合計を計算することで提供される。Ｂ１は、新しいソフト／ソフターハンドオーバユーザの負荷率を除去せずに判別した他のセルからの干渉を表す。Ｃ１は、新しいソフト／ソフターハンドオーバユーザの負荷率を補償せずに新しいユーザ１０１にデータレートを付与するためにスケジューラ２０７が利用可能な電力を表す。Ｂ２は、負荷率を除去した他のセルからの干渉を表す。Ｃ２は、新しいソフト／ソフターハンドオーバユーザの負荷率を補償して新しいユーザ１０１に帯域幅を付与するためにスケジューラ２０７が利用可能な帯域幅を表す。
【００２４】
その後、時間ｔ１及びｔ２の時間間隔内で新しいソフト又はソフターハンドオーバが実行される（破線の矢印）と、前のソフト／ソフターハンドオーバと現在のソフト／ソフターハンドオーバの両方から負荷率を除去することで他のセルからの干渉が判別される。一般的に、２つの総合干渉測定値の間の時間間隔内のすべてのソフト／ソフターハンドオーバの負荷率の合計を他のセルからの干渉推定値から減算しなければならない。
【００２５】
一例では、干渉判別ユニット２０９は、また、上記セル１０６から隣接するセルへの移動局のソフト／ソフターハンドオーバを検出するように配置されている。基地局１０２がその移動局への無線リンクをもはや有していない場合には、関連付けられた帯域幅を備えた上記移動局は、スケジューラ２０７から除外される。一例では、他セル干渉判別ユニット３１１は、次にソフト又はソフターハンドオーバによって無線リンク接続が終了した場合にその移動局に関連付けられた負荷率を他のセルからの干渉推定値に合算するように配置されている。負荷率の合算は、総合干渉測定ユニット３１０が新たに測定を実行するまで継続される。
【００２６】
上記説明は、レジスタ２０８と、スケジューラ２０７と、干渉判別ユニット２０９とが基地局２０２に組み込まれている一例に関するものである。しかし、別の例（図示せず）では、少なくともレジスタ２０８及び／又は干渉判別ユニット２０９の一部が無線ネットワークの別の部分、例えば、無線アクセスネットワークノード１０５内に配置されている。この例では、基地局は、測定を実行して生データを提供するように配置することができる。また、無線アクセスネットワークノードは、利用可能な電力／データレートを判別するように配置することができる。データレートの付与は、基地局によって実行される。
【００２７】
図７を参照すると、無線ネットワーク内でデータレートを付与する方法は、可能であれば所定の時間間隔を有するセル内の総合干渉レベルの基準を提供するステップ７０１と、セル内に新しいユーザが現れたか否かを判別するステップ７０２と、新しいユーザが隣接するセルから発呼しているか否かを判別するステップ７０３とを含む。一例では、少なくとも１つのユーザが隣接するセルから発呼しているか否かを判別するステップ７０３は、隣接するセルからのソフトハンドオーバを判別するために無線ネットワークコントローラから送信されたマルチ無線リンクセット標識値を評価することを含む。
【００２８】
新しいユーザが隣接するセルから発呼している場合、負荷率が計算され７０４、判別された負荷率に鑑みて利用可能な電力又はデータレートが判別される７０５。最後に、利用可能な電力／データレートに基づいて、新しいユーザにデータレートが付与される７０６。ユーザが利用可能な電力／データレートを判別するステップ７０５は、一例では、新しいユーザが隣接するセルから発呼していると判別された場合、最大干渉設定値と総合干渉測定レベルとの関係を調整することを含む。
【００２９】
一例では、利用可能な電力／データレートの判別７０５は、セル内の干渉レベルを判別するステップ７０７と、総合干渉レベルとセル内のユーザの判別された干渉レベルの関係に基づいて隣接するセルからのユーザの干渉レベルを判別すること７０８とを含む。最後に、他のセルからの判別された干渉レベルが負荷率に基づいて調整される７０９。
【００３０】
総合干渉レベルの測定の間にいくつかの新しいユーザが隣接するセルから上記セル内に移動した状況では、隣接するセルからのユーザからの推定干渉レベルは、隣接するセルから発呼する各々の新しいユーザに関連付けられた負荷率で低減され、調整された総合干渉レベルは、セル内のユーザからの干渉と他のセルからのユーザからの低減された干渉レベルの合計として判別される。
【図１】
2010530705.tif 000003
【図２】
2010530705.tif 000004
【図３】
2010530705.tif 000005
【図４】
2010530705.tif 000006
【図５】
2010530705.tif 000007
【図６】
2010530705.tif 000008
【図７】
2010530705.tif 000009
【国際調査報告】
2010530705.tif 000010
2010530705.tif 000011
2010530705.tif 000012
2010530705.tif 000013